(57)【要約】  携帯端末装置（１０１）は、充電池（１０２）に充電するために接続された充電器（１２１）より充電器（１２１）を識別する充電器識別情報を受け付ける充電器識別情報受け付け部（１０３）と、充電器識別情報に対応づけられた設定情報を記憶する設定情報記憶部（１０４）と、充電器識別情報受け付け部（１０３）が受け付けた充電器識別情報に対応する設定情報を設定情報記憶部（１０４）より取り出す設定情報取り出し部（１０５）と、設定情報取り出し部（１０５）が取り出した設定情報を携帯端末装置（１０１）に設定する設定部（１０６）とを備える。
2011040206.tif 000002
【特許請求の範囲】
【請求項１】
ネットワークに接続可能な携帯端末装置において、
この携帯端末装置の電源としての充電池と、
前記充電池に充電するために接続された充電器よりこの充電器を識別する充電器識別情報を受け付ける充電器識別情報受け付け手段と、
前記充電器識別情報に対応づけられた設定情報を記憶する設定情報記憶手段と、
前記充電器識別情報受け付け手段が受け付けた充電器識別情報に対応する設定情報を前記設定情報記憶手段より取り出す設定情報取り出し手段と、
この設定情報取り出し手段が取り出した設定情報を前記携帯端末装置に設定する設定手段と
を備えることを特徴とする携帯端末装置。
【請求項２】
請求項１記載の携帯端末装置において、
前記設定情報は、前記ネットワークに接続するための接続設定情報および前記携帯端末装置が備える機能を制限する機能制限設定情報より選択されたものであることを特徴とする携帯端末装置。
【請求項３】
請求項１記載の携帯端末装置において、
前記充電器識別情報は、前記充電器より供給される充電のための電圧信号に重畳されていることを特徴とする携帯端末装置。
【請求項４】
請求項１記載の携帯端末装置において、
前記充電器識別情報は、前記充電器より供給される充電のための電力線とは異なる信号線を介して受け付けることを特徴とする携帯端末装置。
【請求項５】
請求項１記載の携帯端末装置において、
前記充電器識別情報は、前記充電器より無線媒体を介して受け付けることを特徴とする携帯端末装置。
【請求項６】
電源として充電池を備えるネットワークに接続可能な携帯端末装置の前記充電池に充電を行う充電器において、
前記充電器を識別する充電器識別情報を前記携帯端末装置に対して送出する充電器識別情報送出手段を備えることを特徴とする充電器。
【請求項７】
ネットワークに接続可能な携帯端末装置と、
この携帯端末装置の電源としての充電池と、
前記充電池に充電を行う充電器とを備え、
前記携帯端末装置は、
前記充電池に充電するために接続された充電器よりこの充電器を識別する充電器識別情報を受け付ける充電器識別情報受け付け手段と、
前記充電器識別情報に対応づけられた設定情報を記憶する設定情報記憶手段と、
前記充電器識別情報受け付け手段が受け付けた充電器識別情報に対応する設定情報を前記設定情報記憶手段より取り出す設定情報取り出し手段と、
この設定情報取り出し手段が取り出した設定情報を前記携帯端末装置に設定する設定手段と
を備え、
前記充電器は、前記充電器を識別する充電器識別情報を前記携帯端末装置に対して送出する充電器識別情報送出手段を備える
ことを特徴とする充電システム。
【発明の詳細な説明】
【技術分野】
【０００１】
本発明は、電源として充電池を備えるネットワークに接続可能な携帯端末装置、この携帯端末装置の充電池に充電を行う充電器、および充電システムに関するものである。
【背景技術】
【０００２】
近年、半導体装置の微細化などにより、より多くのより高い性能の機能を携帯端末装置が備えるようになってる。例えば、カメラ機能、ワープロ機能、録音機能，音楽再生機能，テレビ受信機能などを備える携帯電話機が用いられている（特許文献１参照）。また、複数のネットワークに対応して複数のネットワーク接続機能を備える携帯電話機が用いられている。また、このような機能の多様化により、使用状況や使用場所により、各機能機能の変更やネットワーク接続機能の設定変更が、高い頻度で行われるようになっている（特許文献２，３，４，５参照）。【０００３】
機能の変更や設定変更は、一般には、使用者が使用状況を判断して行っている。また、ＧＰＳ（Global Positioning System）より得られる位置情報をもとに、記憶されている設定情報を自動的に呼び出して当該携帯電話機に設定する技術がある。
【先行技術文献】
【特許文献】
【０００４】
【特許文献１】特開２００７−０７９８４５号公報
【特許文献２】特開２０００−１８３９７７号公報
【特許文献３】特開２００６−１３５８７４号公報
【特許文献４】特開２００７−５２８１８６号公報
【特許文献５】特開２００８−３０６７０４号公報
【発明の概要】
【発明が解決しようとする課題】
【０００５】
しかしながら、設定は多岐にわたることが多く，変更の頻度が高い場合などは、設定を行うことが使用者にとって面倒となる。また、使用者が設定の変更を行う場合、設定や変更などを忘れてしまい、不適切な状態で使用してしまうこともある。また、ＧＰＳによる位置情報を用いる技術では、例えば、ネットワークアクセス接続機能を変更した領域の大きさ（広さ）に対し、得られる位置情報の精度が十分ではない場合もある。上述した使用形態や、関連する技術では、使用状況に合わせてより的確に機能の変更を行うことが容易ではないという問題があった。【０００６】
本発明は、以上のような問題点を解消するためになされたものであり、使用状況に合わせてより的確に携帯端末装置の機能の変更が行えるようにすることを目的とする。
【課題を解決するための手段】
【０００７】
本発明に係る携帯端末装置は、ネットワークに接続可能な携帯端末装置であり、この携帯端末装置の電源としての充電池と、充電池に充電するために接続された充電器よりこの充電器を識別する充電器識別情報を受け付ける充電器識別情報受け付け手段と、充電器識別情報に対応づけられた設定情報を記憶する設定情報記憶手段と、充電器識別情報受け付け手段が受け付けた充電器識別情報に対応する設定情報を設定情報記憶手段より取り出す設定情報取り出し手段と、この設定情報取り出し手段が取り出した設定情報を携帯端末装置に設定する設定手段とを少なくとも備える。【０００８】
また、本発明に係る充電器は、電源として充電池を備えるネットワークに接続可能な携帯端末装置の充電池に充電を行うものであり、充電器を識別する充電器識別情報を携帯端末装置に対して送出する充電器識別情報送出手段を備える。【０００９】
また、本発明に係る充電システムは、ネットワークに接続可能な携帯端末装置と、この携帯端末装置の電源としての充電池と、充電池に充電を行う充電器とを備え、携帯端末装置は、充電池に充電するために接続された充電器よりこの充電器を識別する充電器識別情報を受け付ける充電器識別情報受け付け手段と、充電器識別情報に対応づけられた設定情報を記憶する設定情報記憶手段と、充電器識別情報受け付け手段が受け付けた充電器識別情報に対応する設定情報を設定情報記憶手段より取り出す設定情報取り出し手段と、この設定情報取り出し手段が取り出した設定情報を携帯端末装置に設定する設定手段とを備え、充電器は、充電器を識別する充電器識別情報を携帯端末装置に対して送出する充電器識別情報送出手段を備える。
【発明の効果】
【００１０】
以上説明したように、本発明によれば、充電器よりこの充電器を識別する充電器識別情報を受け付けるようにしたので、使用状況に合わせてより的確に携帯端末装置の機能の変更が行えるという優れた効果が得られる。
【図面の簡単な説明】
【００１１】
【図１】図１は、本発明の実施の形態１における携帯端末装置および充電器の構成を示す構成図である。
【図２】図２は、本発明の実施の形態２における携帯端末装置および充電器の構成を示す構成図である。
【図３】図３は、本発明の実施の形態２における携帯端末装置および充電器による充電システムの構成例を示す構成図である。
【図４】図４は、本発明の実施の形態２における携帯端末装置および充電器による充電の動作例を説明するためのフローチャートである。
【発明を実施するための形態】
【００１２】
以下、本発明の実施の形態について図を参照して説明する。
【００１３】
［実施の形態１］
はじめに、本発明の実施の形態１について図１を用いて説明する。図１は、本発明の実施の形態１における携帯端末装置１０１および充電器１２１の構成を示す構成図である。
【００１４】
携帯端末装置１０１は、現在市販されている一般的な携帯電話機などであり、よく知られたリチウムイオン電池などの２次電池から構成された充電池１０２を備える。また、携帯端末装置１０１は、図示していないが、アンテナ，送受信部，主制御部，操作部，記憶部，および表示部などを備え、種々のネットワークに接続可能とされている。
【００１５】
また、携帯端末装置１０１は、充電池１０２に充電するために接続された充電器１２１より充電器１２１を識別する充電器識別情報を受け付ける充電器識別情報受け付け部１０３を備える。また、携帯端末装置１０１は、充電器識別情報に対応づけられた設定情報を記憶する設定情報記憶部１０４を備える。また、携帯端末装置１０１は、充電器識別情報受け付け部１０３が受け付けた充電器識別情報に対応する設定情報を設定情報記憶部１０４より取り出す設定情報取り出し部１０５を備える。また、携帯端末装置１０１は、設定情報取り出し部１０５が取り出した設定情報を携帯端末装置１０１に設定する設定部１０６を備える。
【００１６】
一方、充電器１２１は、充電器１２１を識別する充電器識別情報を携帯端末装置１０１に対して送出する充電器識別情報送出部１２２を備える。この充電器識別情報は、充電器識別情報送出部１２２が備える記憶部に記憶しておけばよい。また、他の記憶部（不図示）に充電器識別情報を記憶しておき、この充電器識別情報を充電器識別情報送出部１２２が取り出して送出してもよい。
【００１７】
充電池１０２に充電するために携帯端末装置１０１と充電器１２１とを接続すると、充電器識別情報送出部１２２より携帯端末装置１０１に対して充電器識別情報が送出される。送出された充電器識別情報は、充電器識別情報受け付け部１０３で受け付けられる。充電器識別情報受け付け部１０３で充電器識別情報が受け付けられると、設定情報取り出し部１０５が、受け付けた充電器識別情報に対応する設定情報を設定情報記憶部１０４より取り出す。このようにして設定情報が取り出されると、設定情報取り出し部１０５が、取り出した設定情報を携帯端末装置１０１に設定する。
【００１８】
このように、本実施の形態では、充電器１２１より送出される充電器識別情報に対応する設定情報を携帯端末装置１０１に設定する。このため、本実施の形態によれば、充電器１２１が設けられている場所の使用状況に合わせて設定情報を構築しておけば、使用状況に合わせたより的確な機能の変更が行えるようになる。
【００１９】
一例として、屋外では、利用しているキャリアが運用する基地局と無線で接続するが、自宅内では、フェムトセルに接続してネットワークに接続する場合を考える。この場合、自宅に配置された充電器１２１で充電を行うと、充電器１２１より充電器識別情報を受け付けることで、フェムトセルに接続する設定情報が携帯端末装置１０１に設定されるようにすることができる。この場合、充電器識別情報に対応してフェムトセルに接続するための設定情報が、設定情報記憶部１０４に記憶されていればよい。
【００２０】
また、充電器１２１が配置されている領域では、携帯電話機をマナーモードにすることが要求されている場合もある。この場合、充電器１２１より充電器識別情報を受け付けることで、マナーモードにする設定情報が携帯端末装置１０１に設定されるようにすることも可能である。この場合、充電器識別情報に対応してマナーモードにする設定情報が、設定情報記憶部１０４に記憶されていればよい。同様に、充電器１２１が配置されている領域では、携帯端末装置１０１が有するカメラ機能、ワープロ機能、録音機能，音楽再生機能，テレビ受信機能などの利用が制限されている場合もある。この場合、充電器１２１より充電器識別情報を受け付けることで、各機能を制限する機能制限設定情報が携帯端末装置１０１に設定されるようにすることも可能である。
【００２１】
なお、上述では、充電器識別情報は、充電器の個体毎に各々が識別（区別）可能に備えているものとしたが、これに限るものではない。充電器識別情報は、例えば、充電器が配置されている領域が識別可能とされてるものであればよく、上述したような機能の設定を行う領域内に配置される複数の充電器に共通に、同一の充電器識別情報が備えられていてもよい。
【００２２】
［実施の形態２］
次に、本発明の実施の形態２について、図２，３，４を用いて説明する。図２は、本発明の実施の形態２における携帯端末装置２０１および充電器２２１の構成を示す構成図である。
【００２３】
携帯端末装置２０１は、現在市販されている一般的な携帯電話機などであり、よく知られたリチウムイオン電池などの２次電池から構成された充電池２０２を備える。なお、図示していないが、携帯端末装置２０１は、アンテナ，送受信部，主制御部，操作部，記憶部，および表示部などを備え、種々のネットワークに接続可能とされている。
【００２４】
また、携帯端末装置２０１は、充電池２０２に充電するために接続された充電器２２１から供給される充電電力の供給（充電電圧の印加）を検出する充電監視部２０３を備える。また、携帯端末装置２０１は、充電監視部２０３が充電電圧の印加を検出すると、充電器２２１に対して充電器２２１を識別するための充電器識別情報の送出を要求する充電器識別情報要求部２０４を備える。また、携帯端末装置２０１は、充電器識別情報要求部２０４による要求送出の後、充電器２２１より充電器識別情報を受け付ける充電器識別情報受け付け部２０５を備える。また、携帯端末装置２０１は、充電器識別情報に対応づけられた設定情報を記憶する設定情報記憶部２０６を備える。また、携帯端末装置２０１は、充電器識別情報受け付け部２０５が受け付けた充電器識別情報に対応する設定情報を設定情報記憶部２０６より取り出す設定情報取り出し部２０７を備える。また、携帯端末装置２０１は、設定情報取り出し部２０７が取り出した設定情報を携帯端末装置２０１に設定する設定部２０８を備える。
【００２５】
一方、充電器２２１は、携帯端末装置２０１に対して充電電力を供給する充電部２２２を備える。また、充電器２２１は、携帯端末装置２０１からの充電器識別情報の送出要求を受け付ける充電器識別情報要求受け付け部２２３を備える。また、充電器２２１は、充電器識別情報要求受け付け部２２３が送出要求を受け付けると、要求された充電器識別情報を携帯端末装置２０１に対して送出する充電器識別情報送出部２２４を備える。
【００２６】
本実施の形態において、携帯端末装置２０１は、図３に示すように、キャリアが運用する基地局３０１による屋外のサービスエリア３０２では、基地局３０１を介してネットワーク接続を行う。これに対し、自宅において、携帯端末装置２０１は、フェムトセル３０３の宅内サービスエリア３０４で、フェムトセル３０３を介したネットワーク接続が可能とされている。本実施の形態では、自宅において、携帯端末装置２０１を充電器２２１に接続して充電を行うことで、フェムトセル３０３を介したネットワーク接続のための設定情報を携帯端末装置２０１に設定する。
【００２７】
例えば、設定情報記憶部２０６には、フェムトセル３０３を介したネットワーク接続のための設定情報が、充電器２２１を識別するための充電器識別情報に対応づけて記憶されていないものとする。この状態で、自宅において、利用者の操作により、フェムトセル３０３を介したネットワーク接続のための設定を携帯端末装置２０１に行う。このように設定変更をした状態で、携帯端末装置２０１を充電器２２１に接続して充電を行うと、充電器識別情報要求部２０４による要求に対応し、充電器識別情報送出部２２４より充電器識別情報が送出され、これが、充電器識別情報受け付け部２０５に受け付けられる。
【００２８】
充電器識別情報が受け付けられると、設定情報取り出し部２０７が、受け付けた充電器識別情報に対応する設定情報を設定情報記憶部２０６に検索する。ここで、上述したように充電器識別情報に対応づけられた設定情報が設定情報記憶部２０６には記憶されていないので、設定情報取り出し部２０７は、充電器識別情報に対応する設定情報がないものと判断する。このように判断されると、設定部２０８が、上述したように現在、携帯端末装置２０１に設定されているフェムトセル３０３を介したネットワーク接続のための設定情報を、受け付けられている充電器識別情報に対応づけて設定情報記憶部２０６に記憶させる。
【００２９】
以上のようにして、設定情報記憶部２０６に、充電器識別情報に対応づけられたフェムトセル３０３を介したネットワーク接続のための設定情報が記憶されると、これ以降は、充電器２２１に接続して充電を行うことで、携帯端末装置２０２には、フェムトセル３０３を介したネットワーク接続のための設定情報が設定されるようになる。
【００３０】
以下、本実施の形態における携帯端末装置２０１および充電器２２１による充電システムの動作について、図４のフローチャートを用いて説明する。
【００３１】
まず、ステップＳ４０１で、充電監視部２０３が充電器２２１から供給される充電電圧の印加を検出すると、ステップＳ４０２で、充電器識別情報要求部２０４が、充電器２２１に対して充電器２２１を識別するための充電器識別情報の送出を要求する。この後、充電器識別情報受け付け部２０５が、充電器２２１（充電器識別情報送出部２２４）から送出される充電器識別情報の受け付けを、設定されている時間待機する（ステップＳ４０３，ステップＳ４０４）。
【００３２】
充電器識別情報受け付け部２０５が、充電器識別情報を受け付けると（ステップＳ４０３のＹ）、設定情報取り出し部２０７が、受け付けた充電器識別情報に対応する設定情報を設定情報記憶部２０６内に検索する。この検索で、充電器識別情報に対応する設定情報が有ると（ステップＳ４０６のＹ）、設定部２０８が、取り出した設定情報を携帯端末装置２０１に設定して携帯端末装置２０１の設定を変更する（ステップＳ４０７）。
【００３３】
一方、設定情報記憶部２０６に、充電器識別情報に対応する設定情報が記憶されていない場合（ステップＳ４０６のＮ）、設定部２０８は、受け付けられている充電器識別情報に、充電器識別情報が受け付けられた時点における携帯端末装置２０１の設定状態を対応づけて設定情報記憶部２０６に記憶する。なお、ステップＳ４０４の時間経過の判断において、設定されている時間が経過すると、上述したステップＳ４０５以降の処理を行わずに終了する。
【００３４】
上述した実施の形態では、充電器２２１より送出される充電器識別情報に対応する設定情報を携帯端末装置２０１に設定する。この結果、本実施の形態によれば、充電器２２１が設けられている場所の使用状況に合わせて設定情報を構築しておけば、使用状況に合わせたより的確な機能の変更が行えるようになる。また、携帯端末装置の多様な機能をまとめて設定情報としておくことできるので、各機能を組み合わせた複雑な設定の変更なども容易に行えるようになる。
【００３５】
なお、本発明は、以上に説明した実施の形態に限定されるものではなく、本発明の技術的思想内で、当分野において通常の知識を有する者により、多くの変形および組み合わせが実施可能であることは明白である。例えば、携帯端末装置が、無線ＬＡＮ，ＷｉＭＡＸなどのネットワークアクセス機能を備え、これらの機能の設定を設定情報として記憶するようにしてもよい。また、接続先アクセスポイントやサーバーなどのアドレス情報を設定情報として記憶することもできる。また、複数の充電器識別情報と設定情報との組み合わせを記憶してもよく、また、所望とする充電器識別情報と設定情報との組み合わせを、利用者の操作によって消去可能としてもよい。
【００３６】
また、充電部と充電器識別情報送出部とは、別体の装置として組み合わせてもよい。例えば、充電部を備える充電台に、充電器識別情報送出部を実装し、これらを分離可能としてもよい。また、充電器識別情報は、供給される充電のための電力線とは異なる専用の信号線を用いて送出してもよく、充電用電線（充電器より供給される充電のための電圧信号）に重畳してもよく、または、ＮＦＣ（Near Field Communication）などの無線媒体を使用してもよい。
【００３７】
上記実施形態の一部または全部は、以下の付記のようにも記載されるが、以下には限られない。
【００３８】
（付記１）
ネットワークに接続可能な携帯端末装置において、この携帯端末装置の電源としての充電池と、前記充電池に充電するために接続された充電器よりこの充電器を識別する充電器識別情報を受け付ける充電器識別情報受け付け手段と、前記充電器識別情報に対応づけられた設定情報を記憶する設定情報記憶手段と、前記充電器識別情報受け付け手段が受け付けた充電器識別情報に対応する設定情報を前記設定情報記憶手段より取り出す設定情報取り出し手段と、この設定情報取り出し手段が取り出した設定情報を前記携帯端末装置に設定する設定手段とを備えることを特徴とする携帯端末装置。
【００３９】
（付記２）
付記１記載の携帯端末装置において、前記設定情報は、前記ネットワークに接続するための接続設定情報および前記携帯端末装置が備える機能を制限する機能制限設定情報より選択されたものであることを特徴とする携帯端末装置。
【００４０】
（付記３）
付記１記載の携帯端末装置において、前記充電器識別情報は、前記充電器より供給される充電のための電圧信号に重畳されていることを特徴とする携帯端末装置。
【００４１】
（付記４）
付記１記載の携帯端末装置において、前記充電器識別情報は、前記充電器より供給される充電のための電力線とは異なる信号線を介して受け付けることを特徴とする携帯端末装置。
【００４２】
（付記５）
付記１記載の携帯端末装置において、前記充電器識別情報は、前記充電器より無線媒体を介して受け付けることを特徴とする携帯端末装置。
【００４３】
（付記６）
電源として充電池を備えるネットワークに接続可能な携帯端末装置の前記充電池に充電を行う充電器において、前記充電器を識別する充電器識別情報を前記携帯端末装置に対して送出する充電器識別情報送出手段を備えることを特徴とする充電器。
【００４４】
（付記７）
ネットワークに接続可能な携帯端末装置と、この携帯端末装置の電源としての充電池と、前記充電池に充電を行う充電器とを備え、前記携帯端末装置は、前記充電池に充電するために接続された充電器よりこの充電器を識別する充電器識別情報を受け付ける充電器識別情報受け付け手段と、前記充電器識別情報に対応づけられた設定情報を記憶する設定情報記憶手段と、前記充電器識別情報受け付け手段が受け付けた充電器識別情報に対応する設定情報を前記設定情報記憶手段より取り出す設定情報取り出し手段と、この設定情報取り出し手段が取り出した設定情報を前記携帯端末装置に設定する設定手段とを備え、前記充電器は、前記充電器を識別する充電器識別情報を前記携帯端末装置に対して送出する充電器識別情報送出手段を備えることを特徴とする充電システム。
【００４５】
以上、実施形態を参照して本発明を説明したが、本発明は上記実施形態に限定されるものではない。本発明の構成や詳細には、本発明のスコープ内で当業者が理解し得る様々な変更をすることができる。
【００４６】
この出願は、２００９年１０月２日に出願された日本出願特願２００９−２３０３２３号を基礎とする優先権を主張し、その開示のすべてをここに取り込む。
【符号の説明】
【００４７】
１０１…携帯端末装置、１０２…充電池、１０３…充電器識別情報受け付け部、１０４…設定情報記憶部、１０５…設定情報取り出し部、１０６…設定部、１２１…充電器、１２２…充電器識別情報送出部。
【図１】
2011040206.tif 000003
【図２】
2011040206.tif 000004
【図３】
2011040206.tif 000005
【図４】
2011040206.tif 000006
【国際調査報告】
2011040206.tif 000007
2011040206.tif 000008
2011040206.tif 000009
2011040206.tif 000010